(57)【要約】【課題】騒音として感じられる空気音をより確実に低減することが可能な光ディスク装置のトレイ及びこれを備えた光ディスク装置を提供する。【解決手段】トレイ底部３１よりも高い位置にあるトレイリア部３３に、抜きテーパであるテーパ面６０に加えて、これよりも緩やかな傾斜のテーパ面６４を形成する。テーパ面６４の上端７２をその下端７０よりも光ディスク１００の回転中心から遠い位置に設定することで、ディスク回転時に発生する光ディスク１００の周辺部の空気がテーパ面６４をつたって後方に導かれるようにした。【選択図】図２
2010033664.tif 000002
【特許請求の範囲】
【請求項１】
前方から挿入された光ディスクが回転可能に配置されるトレイ底部と、
前記光ディスクの回転中心よりも後方で前記トレイ底部に隣接し、当該トレイ底部よりも高い位置にあるトレイリア部と、を備えた光ディスク装置のトレイであって、
前記トレイリア部は、
前記トレイ底部から傾斜して立ち上がり、前記光ディスクの周方向に延在する第１のテーパ面と、
前記第１のテーパ面よりも緩やかな傾斜で、上端が下端よりも前記回転中心から遠い位置にあるように形成された第２のテーパ面と、を有する、光ディスク装置のトレイ。
【請求項２】
前記第２のテーパ面は、前記トレイリア部において前記光ディスクの回転方向から見て上流側に位置する、請求項１に記載の光ディスク装置のトレイ。
【請求項３】
前記第２のテーパ面の上端は、前記光ディスクの回転方向から見て、前記第２のテーパ面の下端よりも下流側に位置する、請求項２に記載の光ディスク装置のトレイ。
【請求項４】
前記第２のテーパ面は、後方に向かって徐々に高さが高くなるように前後方向に傾斜している、請求項３に記載の光ディスク装置のトレイ。
【請求項５】
前記第２のテーパ面は、後方に向かって徐々に幅が大きくなるように形成されている、請求項４に記載の光ディスク装置のトレイ。
【請求項６】
前記トレイリア部は、前記第２のテーパ面の上端に連なる平坦面を有しており、
前記平坦面の下側には、コネクタ部が配される、請求項３ないし５のいずれか一項に記載の光ディスク装置のトレイ。
【請求項７】
前記第２のテーパ面には、穴が形成されている、請求項３ないし６のいずれか一項に記載の光ディスク装置のトレイ。
【請求項８】
前記穴は、前記第２のテーパ面を貫通して形成されている、請求項７に記載の光ディスク装置のトレイ。
【請求項９】
前記第２のテーパ面の傾斜角度は、５０°未満である、請求項３ないし８のいずれか一項に記載の光ディスク装置のトレイ。
【請求項１０】
前記第２のテーパ面の傾斜角度は、３°である、請求項９に記載の光ディスク装置のトレイ。
【請求項１１】
前記第１のテーパ面は、抜きテーパとして形成されたものである、請求項３ないし１０のいずれか一項に記載の光ディスク装置のトレイ。
【請求項１２】
前記第２のテーパ面は、全体が楔状に形成された楔部の上面を構成している、請求項３ないし１１のいずれか一項に記載の光ディスク装置のトレイ。
【請求項１３】
前記第１のテーパ面の少なくとも一部は、前記楔部の側面を構成している、請求項１２に記載の光ディスク装置のトレイ。
【請求項１４】
請求項１ないし１３のいずれか一項に記載の光ディスク装置のトレイを備えた光ディスク装置。
【発明の詳細な説明】
【技術分野】
【０００１】
本発明は、静音化に適した光ディスク装置のトレイに関するものである。
【背景技術】
【０００２】
この種の光ディスク装置は、ＣＤやＤＶＤなどの光ディスクをトレイに装着し、光ディスクを回転させることでデータの再生や記録を行う。近年、光ディスクの回転速度が高速化に伴って、騒音としての光ディスクの風切音（空気音）が大きくなるということが問題となっている。この問題をトレイの構造で解決しようとしたものとして、例えば特許文献１に記載のものがある。
【０００３】
このトレイは、光ディスクを載置する載置部と、載置部の周囲にそれぞれ一段高いフロント部及びリア部と、を有する。載置部の中央（光ディスクの回転中心）からリア部の一部にかけては、光ピックアップ用の開口部が形成され、この開口部の縁部には、光ディスクの回転に伴う空気音を抑えるべく、光ディスクとの間隔が開口部に向けて徐々に広がるように傾斜した傾斜面が形成されている。
【特許文献１】特開２００３−１７８５７０号公報
【発明の開示】
【発明が解決しようとする課題】
【０００４】
しかし、このようなトレイの構造では、光ディスクの回転に伴って流れる空気が傾斜面をつたって一旦開口部に落とし込まれた後、再び開口部から上昇してもう一方の傾斜面に衝突することになる。衝突された傾斜面側で空気の流れが大きく乱れるため、空気音を低減するのに十分とはいえなかった。
【０００５】
本発明は、騒音として感じられる空気音をより確実に低減することが可能な光ディスク装置のトレイ及びこれを備えた光ディスク装置を提供することを目的としている。
【課題を解決するための手段】
【０００６】
この目的を達成するために、本発明によれば、前方から挿入された光ディスクが回転可能に配置されるトレイ底部と、光ディスクの回転中心よりも後方でトレイ底部に隣接し且つトレイ底部よりも高い位置にあるトレイリア部と、を備えた光ディスク装置のトレイであって、トレイリア部は、トレイ底部から傾斜して立ち上がって光ディスクの周方向に延在する第１のテーパ面と、第１のテーパ面よりも緩やかな傾斜で、上端が下端よりも前記回転中心から遠い位置にあるように形成された第２のテーパ面と、を有するものが提供される。
【発明の効果】
【０００７】
以上説明した本発明の光ディスク装置のトレイによれば、騒音として感じられる空気音をより確実に低減することができる。
【発明を実施するための最良の形態】
【０００８】
本発明の好適な実施の形態に係る光ディスク装置のトレイについて図面を参照して説明する。なお、添付する図面では、説明をわかりやすくするため、各部材の厚さやサイズ、拡大・縮小率等は、実際のものとは一致させずに記載した部分がある。また、光ディスク装置は、装着した光ディスクが時計回りに回転するものとして、また、光ディスクが前方から挿入されるものとして説明する。
【０００９】
図１及び図２に示すように、光ディスク装置１は、筐体２と、筐体２に挿抜可能に配設されたトレイ３と、を有する。筐体２は、ボトムケース２１及びトップケース２２から構成された箱形を有し、筐体２の手前側にある開口から筐体２内にトレイ３が挿入され、且つ筐体２内からトレイ３が引き出される。ボトムケース２１とトップケース２２とは、例えば３つの隅部でネジ固定される。
【００１０】
ボトムケース２１の後部には、モータ駆動回路などの各種の駆動回路が搭載された回路基板２３が水平に配設され、回路基板２３には、フレキシブル基板２４が前方へと延びるように接続される。ボトムケース２１の左後部には、他の装置（例えばパソコン本体）と接続するためのコネクタ部２５が手前側に突出するように形成されている。ボトムケース２１の右側部分には、光ディスク１００（図６参照）の一部が面するウィング部２６が形成されている。
【００１１】
図１〜図４に示すように、トレイ３は、トレイ底部３１、トレイフロント部３２及びトレイリア部３３を有する。トレイフロント部３２及びトレイリア部３３がトレイ底部３１よりも盛り上がるように形成されており、トレイ底部３１がトレイ３全体における凹部を構成している。トレイ３の挿抜方向（前後方向）に沿った左右の両側部には、ガイドレール３４が各々設けられており、ガイドレール３４には、ガイドレール３４を移動する移動レール３５が各々配設されている。なお、図３では、ガイドレール３４及び移動レール３５が省略されている。
【００１２】
トレイ底部３１は、光ディスク１００の記録面に対向する平坦な面からなり、光ディスク１００が回転可能に配置される。トレイ底部３１の外周は、光ディスク１００の形状に合わせた円形状となっている。トレイ底部３１の中央部には、光ディスク１００を回転させるためのディスクモータ４０が表出しており、このディスクモータ４０のクランパ部４２に光ディスク１００の中心孔がチャンキングされる。また、トレイ底部３３の開口４３からは、光ディスク１００の径方向に移動可能な光ピックアップ４４が表出している。トレイ３を筐体２内に挿入した場合には、トレイ底部３１の右側方にウィング部２６が位置する。
【００１３】
トレイフロント部３２は、光ディスク１００の回転中心よりも前方において、トレイ底部３１に隣接する。なお、ここでは、光ディスク１００の回転中心は、ディスクモータ４０の回転軸又はクランパ部４２の中心に相当する。トレイフロント部３２の内側面５０は、光ディスク１００の外周に隙間を存して面する円弧状の部分である。内側面５０は、抜きテーパとして機能する部分であり、傾斜して形成されている。トレイフロント部３２の前面には、筐体２の開口を塞ぐ前面パネル５４が取り付けられている。なお、図３では、前面パネル５４が省略されている。
【００１４】
トレイリア部３３は、光ディスク１００の回転中心よりも後方において、トレイ底部３１に隣接する。トレイリア部３３の内側面６０は、トレイ底部３１から傾斜して立ち上がり、光ディスク１００の周方向に延在して、光ディスク１００の外周に隙間を存して面する。この内側面６０は、上記したトレイフロント部３２の内側面５０と同様に、抜きテーパとして形成されたものであり、本発明の「第１のテーパ面」を構成している。
【００１５】
トレイリア部３３の上面６２は、光ディスク１００の回転方向（図３：矢印１１０の方向）の上流側と下流側とで分断されており、その上流側の部分は、テーパ面６４及び平坦面６６を備えている。テーパ面６４は、本発明の「第２のテーパ面」を構成する部分である。テーパ面６４は、後方に向かって徐々に高さが高くなるように前後方向に傾斜し、且つ、後方に向かって徐々に幅が大きくなるように形成されている。テーパ面６４の下端となる前端７０とテーパ面６４の上端となる後端７２との位置関係を光ディスク１００の回転方向の観点で説明すると、前端７０は光ディスク１００の回転方向の上流側に位置し、後端７２はその下流側に位置しているといえる。
【００１６】
前端７０は、トレイ底部３１よりも内側面６０の高さだけ高い位置にある上面７４に段差なく連なっている。なお、前端７０は、トレイ底部３１と同じ高さレベルの面に段差なく連なってもよい。後端７２は、平坦面６６に段差なく連なっている。平坦面６６は、トレイリア部３３において最も高さレベルの高い面であり、平坦面６６の下側には、上述したボトムケース２１のコネクタ部２５が配されるようになっている（図１参照）。なお、コネクタ部２５を別の位置に設定する場合には、平坦面６６を省略して、テーパ面６４の後端７２をトレイリア部３３全体の後縁に位置させてもよい。
【００１７】
ここで、テーパ面６４があるトレイリア部３３の部分は、全体が楔状に形成された楔部を構成しているとも捉えることができる。この場合、楔部の上面は、テーパ面６４によって構成される。また、楔部の内側面は、テーパ面６４に連続する内側面６０の一部からなり、テーパ面６４の傾斜に応じて高さが変化した円弧面で構成される。楔部の外側面は、トレイリア部３３の側面の一部からなり、前後方向に平行に延在する面で構成される。
【００１８】
図４及び図５に示すように、テーパ面６４の傾斜角度θAは、内側面６０の傾斜角度θBよりも小さい。傾斜角度θA及びθBの一例を示すと、０°＜θA＜５０°、４３°＜θB＜７０°である。傾斜角度θAが５０°以上となると、テーパ面６４の勾配が大きくなりすぎてしまい、テーパ面６４が狙いとする空気音の低減が不十分となるおそれがある。傾斜角度θAの理想角度を上記の範囲で決めた後で可能な限り最小にできる傾斜角度θBが、上記の範囲である。より好ましい傾斜角度θAは３°であり、このときにおける傾斜角度θBは６０°である。
【００１９】
次に、図６及び図７を参照して、テーパ面６４の作用について説明する。図６は、本実施形態に係るトレイリア部３３での空気の流れを模式的に示す図であり、図７は、テーパ面６４を有しない比較例に係るトレイリア部での空気の流れを模式的に示す図である。
【００２０】
図７に示す比較例では、光ディスク１００の外周と内側面６０との隙間が小さく、内側面６０の傾斜角度が比較的大きい。このため、回転によって生じる光ディスク１００の周辺部の空気は、その流速が大きい上、内側面６０に衝突して、光ディスク１００の下側にも回り込み易い。
【００２１】
一方、図６に示す本実施形態によれば、内側面６０よりも傾斜が緩やかなテーパ面６４となっている。このため、回転によって生じる光ディスク１００の周辺部の空気は、その流速が小さくなり、テーパ面６４に倣って上側へと抜け易く、光ディスク１００の下側にも回り込みも抑制されることとなる。
【００２２】
以上説明した本実施形態のトレイ３によれば、第１のテーパ面である内側面６０を抜きテーパとして活用しつつ、もう一つのテーパ面６４によって、ディスク回転時に発生する光ディスク１００の周辺部の空気の流速を小さくすることができる。しかも、この空気の流れを、テーパ面６４の前後方向の傾斜に倣って光ディスク１００の回転中心よりも後方へと導くことができる。これにより、光ディスク１００の周辺部の空気の流れを層流化することができ、この空気によって発生する風切音をより確実に低減することができる。
【００２３】
特に、光ディスク装置の一般の使用において、前面パネル５４がユーザの正面側に位置することが多い。ところが、ユーザの正面側に大きな風切音が発生すると、ユーザはそれを騒音として感じやすい。
この点を考慮して、本実施形態の光ディスク装置１では、空気の流れをテーパ面６４で後方へと導くようにしている。このため、空気の流れを前方に導く場合に比べて、ユーザが騒音として感じる風切音を効果的に低減することができる。
【００２４】
また、トレイリア部３３にテーパ面６４を形成しないトレイ３の場合には、トレイリア部３３からウィング部２６への空気の流れ込みが大きく、ウィング部２６において風切音が大きくなりやすい。
この点、本実施形態のトレイリア部３３では、光ディスク１００の回転方向から見て上流側にテーパ面６４を形成しているので、ウィング部２６の手前の早い段階で空気を後方に逃がしておくことができる。これにより、トレイリア部３３からウィング部２６への空気の流れ込みを抑制することができ、ウィング部２６における風切音の低減を図ることができる。
【００２５】
さらに、テーパ面６４は、光ディスク１００の回転方向の上流側の部分（前端７０）が下流側の部分（後端７２）よりも下がっているため、光ディスク１００の回転方向と同方向に流れようとする空気を、その流れに沿って前端７０から後端７２へと導き易い。加えて、テーパ面６４の幅は後方に向かうほど大きいので、より一層空気を後方に逃がし易い。なお、以上の効果は、上述した光ディスク装置１、すなわちいわゆるスリムと称される薄型の筐体を有する光ディスク装置において好適にもたらされるものである。
【００２６】
次に、本実施形態のトレイ３の変形例について説明する。
【００２７】
＜第１の変形例＞
図８に示すように、トレイ３のテーパ面６４に穴８０を形成してもよい。穴８０は、底がある窪み又は凹部とすることもできるが、テーパ面６４を貫通していることが好ましい。穴８０は、平面視で台形状に形成されているが、その形状、位置、大きさ及び範囲は、適宜設計することができる。
【００２８】
例えば、図９（Ａ）に示すように、複数の円形穴８１で構成することもできるし、図９（Ｂ）に示すように、平面視で三角形状の穴８２で構成することもできる。また、図９（Ｃ）に示すように、テーパ面６４及び平坦面６６の両方に亘る穴８３で構成することもできるし、図９（Ｄ）に示すように、長さの異なる複数の長方形穴８４で構成することもできる。さらには、図９（Ｅ）に示すように、互いに異種形状の二つの穴８５、８６で構成することもできるし、図９（Ｆ）に示すように、内側面６０と同じ曲率中心を有する二つの円弧８７，８８で構成してもよい。
【００２９】
このような穴８０〜８８を有するトレイ３によれば、テーパ面６４をつたうように流れる空気（すなわち、光ディスク１００の回転によって発生した空気。）は、テーパ面６４の下側へと送り込まれるようになる。これにより、光ディスク１００の周辺部の空気を後方に導きつつも、その一部を下方のボトムケース２１へと逃がすことができるので、風切音をより一層低減することができる。
【００３０】
＜第２の変形例＞
上記した実施形態では、テーパ面６４の傾斜方向を前後方向としたが、テーパ面６４の上端７２が下端７０よりも光ディスク１００の回転中心から遠い位置に設定されるのであれば、テーパ面６４の傾斜方向は上記した態様に限られない。
例えば、テーパ面６４は、下端から上端にかけて左上がりとなるように、図３に示す矢印１２０の方向に傾斜してもよい。あるいは、テーパ面６４は、下端から上端にかけて光ディスク１００の径方向外側に高くなるように、図３に示す矢印１２２の方向に傾斜してもよい。
【００３１】
また、テーパ面６４の位置は、トレイリア部３３の左後部に限られない。例えば、トレイリア部３３の右後部の上面にテーパ面６４を形成してもよい。この場合にも、テーパ面６４の上端をその下端よりも光ディスク１００の回転中心から遠くに位置させるようにする。例えば、図３に示す上面６２の部分１３０にテーパ面６４を形成する場合には、テーパ面６４の下端から上端にかけて右上がりとなるように、図３に示す矢印１２４の方向にテーパ面６４を傾斜させるとよい。
【図面の簡単な説明】
【００３２】
【図１】実施形態に係る光ディスク装置の分解斜視図である。
【図２】図１に示す光ディスク装置のトップケースを省略した斜視図である。
【図３】図１に示す光ディスク装置のトレイの平面図である。
【図４】図３に示すトレイの要部を示す左側面図である。
【図５】図３のＶ−Ｖ線に沿って切断した断面図である。
【図６】図３に示すトレイのトレイリア部での空気の流れを模式的に示す断面図である。
【図７】比較例に係るトレイのトレイリア部での空気の流れを模式的に示す断面図である。
【図８】本発明の変形例に係るトレイの平面図である。
【図９】図９の（Ａ）〜（Ｆ）は、いずれも、本発明の変形例に係るトレイの平面図である。
【符号の説明】
【００３３】
１…光ディスク装置、  ３…トレイ、  ３１…トレイ底部、  ３３…トレイリア部、  ５０…内側面（第１のテーパ面）、  ６４…テーパ面（第２のテーパ面）、  ６６…平坦面、  ７０…下端、  ７２…上端、  ８０〜８８…穴、１００…光ディスク
【図１】
2010033664.tif 000003
【図２】
2010033664.tif 000004
【図３】
2010033664.tif 000005
【図４】
2010033664.tif 000006
【図５】
2010033664.tif 000007
【図６】
2010033664.tif 000008
【図７】
2010033664.tif 000009
【図８】
2010033664.tif 000010
【図９】
2010033664.tif 000011